(57)【要約】【課題】効果的に図柄を強調する。【解決手段】リールテープ３０は、透明な表層４０の裏面側に、透明層４２、中間層４４、視認層４６が層設されている。透明層４２は、表層４０の裏面かつ背景領域３４に、透明な透明層用塗料を塗布することによって形成される。中間層４４は、透明層４２の裏面側から透明層４２に重ねて中間層用塗料を塗布することによって形成される。視認層４６は、中間層４４の裏面側からリールテープ３０の裏面側全域に、光反射性を有する視認層用塗料を塗布することによって形成され、表層４０側から視認される。視認層４６は、透明層４２と中間層４４とにより形成された凹凸形状に対応し、図柄領域３２が表層４０側に突出した形状となるため、リールテープ３０を表層４０側から視認した際にも図柄領域が突出したように視認される。【選択図】図６
2018175416.tif 000002
【特許請求の範囲】
【請求項１】
透明な表層の裏面側に、図柄に対応する図柄領域と前記図柄の背景となる背景領域とが形成され、前記表層を通して、前記図柄領域と前記背景領域とを視認させるプリントシートを備えた遊技機において、
前記プリントシートは、
前記表層の裏面かつ前記背景領域に透明な塗料を塗布することによって形成された透明層と、
前記透明層の裏面側から前記透明層に重ねて塗料を塗布することによって形成された中間層と、
前記中間層の裏面側から前記プリントシートの全域に渡って塗料を塗布することによって形成された視認層と、
を備えたことを特徴とする遊技機。
【請求項２】
前記中間層を形成するための塗料を塗布しない非塗布領域として、前記図柄領域全体を含む領域であり、かつ、前記図柄領域の外周部分を外側へ拡張した領域が設定され、
前記中間層は、前記非塗布領域以外の領域に塗料を塗布することによって形成されることを特徴とする請求項１記載の遊技機。
【発明の詳細な説明】
【技術分野】
【０００１】
本発明は、パチンコ店などの遊技場に設置されるスロットマシンなどの遊技機に関するものである。
【背景技術】
【０００２】
パチンコ店などの遊技場に設置される遊技機としてスロットマシンが広く知られている。スロットマシンは、外周に複数種類の図柄が配列されたリールを備えている。リールは、リール本体の外周に図柄のプリントされた帯状のテープ（プリントシート）を巻き付けることによって形成されている。
【０００３】
リールは遊技結果を示すものであり、遊技者の注目度も高い。このため、リールに用いられるプリントシートには、図柄の背景となる背景領域に対して図柄に対応する図柄領域を強調するための各種の工夫が施されている。このような工夫としては、例えば、図７〜図９に示すリールテープ７０（プリントシート）のように、透明な表層４０の裏面かつ図柄領域３２（図３参照）に、透明な塗料を塗布することによって透明層７２を形成し、さらに、透明層７２の裏面側からリールテープ７０の全域に渡って金色や銀色の塗料を塗布することによって鏡面性を有する視認層７６（鏡面層）を形成するものが知られている（下記特許文献１参照）。
【０００４】
こうすることで、透明層７２により形成された表層４０の裏面側の凹凸形状が視認層７６に転写され、リールテープ７０を表層４０側から観察した場合に、透明層７２の設けられていない部分（背景領域３４（図３参照））に対して、透明層７２の形成されている部分（図柄領域３２）がエンボス状に凹んで視認されることにより、図柄（図柄領域３２）を強調できる。
【先行技術文献】
【特許文献】
【０００５】
【特許文献１】特開２００４−２４２９８２
【発明の概要】
【発明が解決しようとする課題】
【０００６】
前述のように、図柄をエンボス状に凹んで視認させることにより、図柄を強調することが可能であるが、従来の手法による図柄の強調には限界があり、より効果的に図柄を強調するために更なる工夫が要求されていた。
【０００７】
本発明は、上記背景を鑑みてなされたものであり、従来よりも効果的に図柄を強調できる遊技機を提供することを目的としている。
【課題を解決するための手段】
【０００８】
上記目的を達成するために、本発明の遊技機は、
透明な表層の裏面側に、図柄に対応する図柄領域と前記図柄の背景となる背景領域とが形成され、前記表層を通して、前記図柄領域と前記背景領域とを視認させるプリントシートを備えた遊技機において、
前記プリントシートは、
前記表層の裏面かつ前記背景領域に透明な塗料を塗布することによって形成された透明層と、
前記透明層の裏面側から前記透明層に重ねて塗料を塗布することによって形成された中間層と、
前記中間層の裏面側から前記プリントシートの全域に渡って塗料を塗布することによって形成された視認層と、
を備えたことを特徴としている。
【０００９】
前記中間層を形成するための塗料を塗布しない非塗布領域として、前記図柄領域全体を含む領域であり、かつ、前記図柄領域の外周部分を外側へ拡張した領域が設定され、
前記中間層は、前記非塗布領域以外の領域に塗料を塗布することによって形成されることが好ましい。
【図面の簡単な説明】
【００１０】
【図１】スロットマシンの外観図である。
【図２】前面扉を開放した状態のスロットマシンの外観図である。
【図３】リールテープの正面図である。
【図４】リールテープの断面図である。
【図５】リールテープの斜視図である。
【図６】リールテープの層構成を示す説明図である。
【図７】従来のリールテープの断面図である。
【図８】従来のリールテープの層構成を示す説明図である。
【図９】従来のリールテープの斜視図である。
【発明を実施するための形態】
【００１１】
図１に示すように、スロットマシン（遊技機）１０は、収納箱１１と、前面扉１２とを備え、これらから遊技機本体が構成されている。前面扉１２は、上扉１２ａと下扉１２ｂとに分割されており、これら上扉１２ａ及び下扉１２ｂはそれぞれ収納箱１１に軸着され、開閉自在に支持されている（図２参照）。
【００１２】
上扉１２ａには、液晶ディスプレイ１３、スピーカ１４などの演出装置、及び、表示窓１６が設けられている。液晶ディスプレイ１３は、各種演出画像を表示する。また、スピーカ１４は、各種演出音を出力する。スロットマシン１０は、これら液晶ディスプレイ１３、及び、スピーカ１４を制御することによって遊技を演出する。なお、演出装置は液晶ディスプレイやスピーカに限定されない。ランプなどの電飾装置、アクチュエータやモータなどで駆動される可動式の役物などを演出装置として設け、これらも演出に用いてもよい。
【００１３】
表示窓１６の奥には、回転自在なリール２０ａ、２０ｂ、２０ｃが設けられている。各リール２０ａ〜２０ｃの外周面には複数種類の図柄が配列されており、各リール２０ａ〜２０ｃが停止すると表示窓１６を通して１リール当たり３個の図柄が表示される。
【００１４】
下扉１２ｂには、メダルを投入するメダル投入口２２、クレジットされたメダルをベットするためのベットボタン２３、遊技を開始する際に操作されるスタートレバー２４、回転しているリールを停止させるためのストップボタン２６ａ〜２６ｃ、メダルを払い出す払い出し口２７、払い出し口２７から払い出されたメダルを受けるメダル受け皿２８が設けられている。
【００１５】
スロットマシン１０では、メダル投入口２２にメダルを投入、または、ベットボタン２３を操作して規定枚数（例えば、３枚）のメダルをベットすることで、スタートレバー２４の操作が有効化され、有効化されたスタートレバー２４が操作されると遊技が開始される。遊技が開始されると、各リール２０ａ〜２０ｃが回転を開始するとともに、当選役抽選が実行されて複数種類の当選エリアの中からいずれかが決定される。各当選エリアには、１または複数の役またはハズレが割り当てられており、当選役抽選において決定された当選エリアに割り当てられた役が当選（当選役）となる。
【００１６】
各リール２０ａ〜２０ｃの回転速度が一定速度に到達して定常回転（一定速度を維持したまま回転する状態）となるとストップボタン２６ａ〜２６ｃの操作が有効化され、有効化されたストップボタン２６ａ〜２６ｃを操作することによって、操作されたトップボタンに対応するリールを停止させることができる。そして、そして、全てのリール２０ａ〜２０ｃが停止したときに、当選役に対応する図柄組合せが表示されると、この当選役が入賞となり、入賞した当選役に対応する入賞処理が実行される。
【００１７】
図２に示すように、収納箱１１は、上下２段に仕切られている。そして、収納箱１１の下段には、払い出し口２７を介してメダル受け皿２８にメダルの払い出しを行うホッパ装置２９が納められている。また、収納箱１１の上段には、リール２０ａ〜２０ｃが納められている。
【００１８】
リール２０ａ〜２０ｃは、リール枠（リール本体）に帯状のリールテープ３０（プリントシート）（図３〜図６参照）を巻き付けることによって円筒状に形成されている。なお、リールテープ３０は、リール２０ａ〜２０ｃ毎に、配列された図柄の種類や配列パターンなどが異なっているが、以下ではこれらの違いを考慮せずに、共通の符号を付して説明を簡略化している。
【００１９】
図３に示すように、リールテープ３０には、図柄に対応する図柄領域３２（図柄「７」の部分）と、図柄の背景となる背景領域３４（図柄「７」以外の部分）とが形成されている。なお、本実施形態では、図柄が「７」である例で説明を行うが、図柄は「７」以外であってもよい。本発明の図柄には、文字、数字、記号、マーク、模様、図、絵などが含まれ、図柄の種類によって本発明は限定されるものではないので、これらのいずれをリールテープ３０に設けてもよい。もちろん、図柄の種類や数も１つに限定されないので、複数種類の図柄をそれぞれ複数個設けるといったことも可能である。
【００２０】
図３の線分Ｘ-ｘでリールテープ３０を切断した断面図である図４、及び、リールテープ３０の斜視図である図５、並びに、リールテープ３０の層構成を示す図６に示すように、リールテープ３０は、表層４０の裏面側に、透明層４２、中間層４４、視認層４６、裏打ち層４８が層設されることによって構成されている。
【００２１】
以下、表層４０、透明層４２、中間層４４、視認層４６、裏打ち層４８について説明を行うが、本発明の主な特徴部分は透明層４２、中間層４４、視認層４６にあるため、以下の説明では、初めに表層４０と、裏打ち層４８について説明を行い、次に透明層４２、中間層４４、視認層４６についての説明を行う。
【００２２】
表層４０は、例えば、透明なプラスチックシートなどからなり、透明層４２、中間層４４、視認層４６、裏打ち層４８を層設する際の基材（ベース）として機能する。また、表層４０は、リールテープ３０の前面側を保護する機能も有する。
【００２３】
裏打ち層４８は、表層４０の裏面側に、透明層４２や中間層４４、視認層４６が形成された後に、リールテープ３０の裏面側全域に非透明の塗料（以下、裏打ち層用塗料と称する）を塗布することによって形成される。裏打ち層４８は、表層４０側からリールテープ４０（視認層４６）に照射された外光を、裏面側へ透過させることなく表面側（遊技者側）に効率よく反射させることによって、リールテープ４０の視認性を向上させる機能を有する。また、裏打ち層４８は、リールテープ４０の背面側を保護する機能も有する。
【００２４】
透明層４２は、表層４０の裏面に、透明な塗料（以下、透明層用塗料と称する）を塗布することによって形成される。透明層用塗料は、リールテープ３０の全域（裏面側全域）から図柄領域３２を除外した領域、すなわち、背景領域３４に対して塗布される。
【００２５】
中間層４４は、透明層４２の裏面側から透明層４２に重ねて塗料（以下、中間層用塗料と称する）を塗布することによって形成される。本実施形態においては、中間層用塗料を塗布しない領域（非塗布領域）として、図３において破線で囲まれた領域が設定されている。ここで、非塗布領域（図３において破線で囲まれた領域）は、図柄領域３２全体を含む領域であり、かつ、図柄領域３２の外周部分を外側へ拡張した領域である。そして、中間層４４は、この非塗布領域以外の領域、すなわち、リールテープ３０の全域（裏面側全域）から図柄領域３２よりも一回り大きな領域（図３において破線で囲まれた領域）を除外した領域）に対して塗布される。また、本実施形態では、中間層用塗料として、半透明（乳白色）のベース塗料に対して、微小な金属箔などの光拡散剤を混入したものを用いている。
【００２６】
なお、中間層用塗料を塗布する領域（中間層４４を形成する領域）は、透明層４２の形成された領域（背景領域３４）と同一の領域であってもよい。すなわち、透明層４２が形成された領域と同一の領域に、透明層用塗料（透明層４２）に重ねて中間層用塗料を塗布してもよい。しかし、２種類の塗料を完全に同一の領域に塗布することは難しく、透明層４２が形成された領域から中間層用塗料がはみ出すと（特に、図柄領域３２側にはみ出すと）意匠性が低下してしまう。
【００２７】
このため、本実施形態では、前述のようにリールテープ３０の全域から図柄領域３２よりも一回り大きな領域を除外した領域に中間層用塗料を塗布して中間層４４を形成している。こうすることで、前述した問題（透明層４２が形成された領域から中間層用塗料がはみ出すことにより意匠性が低下してしまうといった問題）を防止している。
【００２８】
また、中間層用塗料は、前述したもの（半透明のベース塗料に光拡散剤を混入したもの）以外であってもよい。具体的には、透明なベース塗料に光拡散剤を混入したものを中間層用塗料として用いてもよいし、透明な塗料を単体で（光拡散剤などを混入せずに）中間層用塗料として用いてもよい。もちろん、半透明の塗料を単体で中間層用塗料として用いてもよいし、非透明の塗料を中間層用塗料として用いてもよい。
【００２９】
視認層４６は、中間層４４の裏面側からリールテープ３０の全域（裏面側全域）に、塗料（以下、視認層用塗料と称する）を塗布することによって形成される。なお、本実施形態では、視認層用塗料として、非透明の着色塗料、より具体的には、光反射性を有する金色の塗料を用いているが、視認層４６は、表層４０側から視認可能であればよいので、視認層用塗料としては、透明な塗料以外の任意の塗料を用いることができる。
【００３０】
上述のように、視認層用塗料は、リールテープ３０の裏面側全域に塗布されるので、透明層用塗料や中間層用塗料の塗布されていない領域（透明層４２や中間層４４が形成されていない領域）、すなわち、図柄領域３２については、視認装用塗料が表層４０の裏面に直接塗布され、ここに視認層４６が形成される（図４参照）。
他方、透明層用塗料や中間層用塗料が塗布された領域（透明層４２や中間層４４が形成されている領域）については、これらの裏面側に視認層用塗料が塗布されて、ここに視認層４６が形成される（図４参照）。
このため、視認層４６の断面形状は、透明層４２と中間層４４とにより形成された凹凸形状に対応する形状（凹凸形状が転写された形状）、すなわち、図柄領域３２が表層４０側に突出した形状となる（図４参照）。
【００３１】
そして、このような断面形状を有する視認層４６は、図柄領域３２については表層４０の背後（裏面側）に視認される。
一方、視認層４６の背景領域３４については、表層４０の裏面側に形成された透明層のさらに背後、または、表層の裏面側に形成された透明層のさらに背後に形成された中間層のさらにまた背後に視認される。
このため、リールテープ３０では、図柄（図柄領域３２）が背景（背景領域３４）から前方（表層４０側）に突出したように視認される（図５参照）。これにより、図柄が強調される。
【００３２】
なお、図柄を強調するためには、例えば、図７〜図９に示すリールテープ７０（プリントシート）のように、表層４０の裏面のうち、図柄領域３２（図３参照）に対して透明層用塗料を塗布することによって透明層７２を形成し、透明層７２の裏面側からリールテープ７０の全域に対して視認装用塗料を塗布することによって視認層７６を形成する手法が従来から知られている（図７、図８参照）。
この従来の手法では、図柄領域３２に透明層用塗料が塗布されるため、図柄（図柄領域３２）が背景（背景領域３４）から後方（裏打ち層４８側）にエンボス状に凹んだように視認されることにより図柄が強調される（図９参照）。
この従来の手法と比較して、本発明の手法、すなわち、図柄が突出したように視認させる手法（図３〜図６参照）によれば、強調するべき対象（図柄）を突出させるといった理由や、従来のように図柄が凹んだように視認させるものとは逆の新鮮な視認効果を与えることができるといった理由から、図柄をより効果的に強調できる。
さらに、本発明によれば、透明層と、視認層との間に中間層を設けたので、中間層の厚みの分だけ視認層の突出量（図柄と突出させる量（高さ））を増大できる。これにより、図柄をより効果的に強調できる。
なお、図７〜図９については、上述した実施形態と同様の部材については同様の符号を付して説明を省略している。
【００３３】
以上のように、スロットマシン１０では、図柄領域３２が背景領域３４から表層４０側に突出したように視認されることにより、従来と比較してより効果的に図柄を強調できる。
【００３４】
なお、本発明は上記実施形態に限定されるものではなく、細部の構成については適宜変更できる。例えば、上記実施形態では、スロットマシンのリールテープに本発明を適用する例で説明をしたがスロットマシンの他の場所に本発明を適用してもよい。他の場所としては、例えば、スロットマシンの前面に設けられた意匠パネル（スロットマシンの機種名やスロットマシンを象徴するキャラクタなどが設けられたパネル）に用いられるプリントシートなどが挙げられる。
【００３５】
また、上記実施形態では、遊技機としてスロットマシンに対して本発明を適用する例で説明をしたが、本発明は、例えば、パチンコ機など、スロットマシン以外の遊技機に対しても適用できる。
【符号の説明】
【００３６】
１０  スロットマシン（遊技機）
１１  収納箱
１２  前面扉
２０ａ〜２０ｃ  リール
３０、７０  リールテープ（プリントシート）
３２  図柄領域
３４  背景領域
４０  表層
４２、７２  透明層
４４  中間層
４６、７６  視認層
４８  裏打ち層
【図１】
2018175416.tif 000003
【図２】
2018175416.tif 000004
【図３】
2018175416.tif 000005
【図４】
2018175416.tif 000006
【図５】
2018175416.tif 000007
【図６】
2018175416.tif 000008
【図７】
2018175416.tif 000009
【図８】
2018175416.tif 000010
【図９】
2018175416.tif 000011